(57)【特許請求の範囲】
【請求項１】
監視対象に監視カメラを設置し、当該監視カメラが撮影した画像に基づいて、監視対象の状態を確認する画像監視システムであって、
少なくとも前記監視対象に係る点検項目と、該監視対象を予め撮影した画像であって点検箇所を設定した基準画像とを記憶する記憶手段と、
前記監視カメラが撮影した画像を表示するための画面を有した表示手段と、
前記点検項目ごとに点検結果を入力する点検結果入力手段と、
前記各手段を制御し、前記監視対象の状態確認が開始されると、前記監視カメラが撮影した現状態画像と共に、前記記憶手段に記憶された前記監視対象に対応する前記点検項目及び前記点検箇所を明示した前記基準画像を前記画面上に表示する制御手段と、
を有することを特徴とする画像監視システム。
【請求項２】
前記点検項目の全てに対する点検結果が入力されたとき、前記制御手段は前記監視対象の点検を終了する請求項１に記載の画像監視システム。
【請求項３】
前記制御手段は、前記点検結果を前記記憶手段に記憶する請求項１または請求項２に記載の画像監視システム。
【請求項４】
前記制御手段は、前記点検結果が不適のとき、前記表示手段に表示されている画像を前記記憶手段に記憶する請求項１乃至請求項３に記載の画像監視システム。
【請求項５】
監視対象に複数の監視カメラを設置し、当該監視カメラが撮影した画像に基づいて、該監視対象の状態を確認する画像監視システムであって、
少なくとも前記監視対象に係る点検項目を記憶する記憶手段と、
前記監視カメラが撮影した画像と前記点検項目とを表示する表示手段と、
前記点検項目ごとに点検結果を入力する点検結果入力手段と、
前記各手段を制御する制御手段と、を有し、
前記制御手段は、
複数の前記監視カメラを選択して撮影した画像を取得する選択手段を有し、当該撮影カメラにおける前記点検項目の全てに対する点検結果が入力されたとき、次の監視カメラを選択することを特徴とする画像監視システム。
【請求項６】
前記監視カメラに画像監視端末を接続し、該画像監視端末を通信回線により監視センタに接続し、該監視センタで集中画像監視を行う請求項１乃至請求項５に記載の画像監視システム。
【発明の詳細な説明】
【０００１】
【発明の属する技術分野】
本発明は、監視センタにて、学校やビル等の監視対象を画像監視する画像監視システムに関し、特に、監視対象に設置されている監視カメラを順次切替えて、監視対象を巡回的に画像監視する画像監視システムに関する。
【０００２】
【従来の技術】
従来、ビルや工場などの監視対象の状況を複数の監視カメラにて撮影し、電話回線やＬＡＮなどの通信回線を介して、監視センタにて監視する画像監視システムがある。
例えば、敷地内の適所に複数台の監視カメラを設置し、工場内の管理人室の監視装置とＬＡＮを介して接続し、監視センタの監視員が工場の状況を画像監視するものがある。工場内の状況を確認するときは、監視員が複数の監視カメラを順次切替えて、工場内の各所の画像を巡回的にモニタ表示させていた。そして、監視員が、表示された画面を見て、不審人物、不審物、電灯の消忘れ、火災の有無などを監視していた。なお、監視員は、通常工場内のことを熟知しているので、画像を見れば異常状態の有無を判断できる。
【０００３】
【発明が解決しようとする課題】
しかし、監視員が監視対象内を熟知していない新人である場合や、多数の監視対象を集中監視する場合などでは、監視員がすべての監視カメラの画像から適切に判断を下すのが困難になる。このため、新人教育に時間がかかったり、監視センタでの多数の監視対象を集中監視するのが困難であった。また、特に、監視対象の監視委託を受けて、警備会社などの第三者機関では、各監視対象にいる熟練の監視員と比べて、監視の質が劣るという問題があった。
【０００４】
そこで、本発明は、監視対象を熟知していない監視員であっても、適切な監視を行える画像監視システムを実現することを目的とする。
【０００５】
【課題を解決するための手段】
そこで、この目的を達成するために、本発明では、監視対象に監視カメラを設置し、当該監視カメラが撮影した画像に基づいて、監視対象の状態を確認する画像監視システムにおいて、少なくとも前記監視対象に係る点検項目と、該監視対象を予め撮影した画像であって点検箇所を設定した基準画像とを記憶する記憶手段と、前記監視カメラが撮影した画像を表示するための画面を有した表示手段と、前記点検項目ごとに点検結果を入力する点検結果入力手段とを備え、前記各手段を制御する制御手段が、前記監視対象の状態確認が開始されると、前記監視カメラが撮影した現状態画像と共に、前記記憶手段に記憶された前記監視対象に対応する前記点検項目及び前記点検箇所を明示した前記基準画像を前記画面上に表示する。
【０００６】
これにより、監視員は、監視カメラが撮影した画像を、同時に表示される点検項目を全て点検すれば、確実に監視対象の状態を確認できる。また、点検項目の全てについて確認しないと、次の監視カメラでの点検ができないので、監視員の不注意や怠慢をシステム的に排斥できる。
したがって、監視員が、新人あるいはべテランであっても、質の高い画像監視を実現できる。
【０００７】
さらに、前記監視対象に係る前記点検項目の全てに対して点検結果を入力したときに、前記監視対象の点検を終了できるようにした。また、前記表示手段は、前記点検結果を前記点検項目に併せて表示するようにし、前記点検結果が不適のとき、前記表示手段に表示されている画像を前記記憶手段に記憶する。
これにより、画像監視システムが監視対象の好ましくない状態を画像として点検結果とともに記憶するので、監視員は監視報告をリアルに行える。また、記憶されていた画像が、後に侵入者の逮捕に役立つ場合もある。
【０００８】
更に、点検項目記憶手段が、当該監視カメラが撮影した基準画像を記憶させ、点検項目とともに表示させると、監視カメラでの正常状態と現在状態とを視覚的に容易に判定でき、監視員による点検の質を更に向上させることができる。
【０００９】
【発明の実施の形態】
本発明による実施形態について、図を参照して説明する。
図１は、本発明を適用する監視システムについて、監視対象と監視センタを含めた全体的な基本構成を示している。
監視対象１は、学校、オフィス等のビル、工場、店舗等である。その監視対象１には、複数の監視カメラＣ１、Ｃ２及びＣ３が監視を必要とする場所に設置され、それらの監視カメラＣ１〜Ｃ３は画像監視端末２に接続されて管理される。さらに、非常通報のための操作部や、侵入者検知、火災検知、ドア等の状態検知等を含む検知センサ部３が設けられている。これらの監視カメラＣ１〜Ｃ３や検知センサ部Ｓから得られる情報は、監視対象１内に設置された画像監視端末２に集められ、通信回線４を介して、監視センタ５に適当なタイミングで送信される。
【００１０】
なお、通信回線４には、図１ではＩＳＤＮを示したが、これに限らず、通常の電話回線（ＰＳＴＮ）、ＬＡＮ等のその他の回線を使用できる。
一方、監視センタ５は、通常、監視対象１とは離れた遠隔な場所にあり、センタ通信装置６を備えている。センタ通信装置６は通信回線４を介して画像監視端末２から画像等の情報を受信する。そして、受信した情報は画像監視装置７に送られる。そこで、監視センタ５内にいる監視員が監視対象１の監視領域を監視できるように、送られてきた情報に基づいて、ＣＲＴ表示装置８に必要情報を表示する。監視員は、操作装置９を用いて、ＣＲＴ表示装置８を操作したり、また、必要事項を指示したりすることができる。
【００１１】
また、監視センタ５内では、各装置がＬＡＮで結ばれており、監視対象１から送られた画像情報を画像管理データベース（ＤＢ）１０に格納する。さらに、監視対象１における監視要件等に関する必要情報は情報管理データベース（ＤＢ）１１に格納されている。例えば、監視対象に係る場所、状況、契約或いは点検項目等、さらには、非常通報、センサ類からの信号も、この情報管理データベース１１に格納される。
【００１２】
図１では、監視対象１を１つ示したが、実際には、監視センタ５に複数の監視対象１からの情報を受けられるようになっており、監視員は、操作装置９を用いて各監視対象を切り換えながら、監視対象毎に必要項目を点検でき、所謂、遠隔巡回監視を行うことができる。
次に、監視対象１に設置された画像監視端末２の構成を、図２を参照して具体的に説明する。
【００１３】
画像監視端末２には、図１で示したように、監視が必要な領域に配置された監視カメラＣ１、Ｃ２及びＣ３と、センサ部３とが接続されている。監視カメラＣ１〜Ｃ３が撮影した画像は、カメラコントローラ２０１を介して画像監視端末２に送られる。このカメラコントローラ２０１は、監視カメラＣ１〜Ｃ３のうちどの監視カメラの画像を送信するかを選択する。
【００１４】
画像監視端末２は、コンピュータを含む中央処理部２０２、画像処理部２０３、検知回路部２０４及び通信処理ターミナルアダプター２０５により構成されている。中央処理部２０２は、これら各部を制御している。
画像処理部２０３は、画像圧縮部２０８、画像切替部２０９及び画像蓄積部２１０で構成される。ここで、画像圧縮部２０８は、監視カメラＣ１〜Ｃ３により撮影された各監視領域の画像データについてデータ圧縮を行う。中央処理部２０２は、データ圧縮された画像を画像蓄積部２１０に格納し、または、画像蓄積部２１０に格納された画像データを監視センタに送るために、画像蓄積部２１０から読み出すように、画像切替部２０９を切替制御する。さらに、監視センタ５の指示により、どの監視カメラの画像を監視センタ５に送信するかを選択する機能も有している。
【００１５】
なお、画像蓄積部２１０は、所定時間における複数枚の静止画像を蓄積でき、例えば、非常通報の操作がされたとき、その前後の１０枚程度の静止画像を格納できる。
検知回路部２０４は、センサ部３からの検知データを集める機能を有する。そして、検知されたデータは、中央処理部２０２の制御のもとで監視センタ５に送られる。
【００１６】
通信処理ターミナルアダプター２０５は、パケットデータ処理部２１１、データ処理部２１２及び通信処理部２１３で構成される。パケットデータ処理部２１１は、検知データを監視センタ５にＤチャネルパケット通信を用いて送信するために、各データをパケット化するものであり、また、監視センタ５から画像監視端末２に指示があったとき、送信されたパケットからその指示データを取り出す機能も有する。
【００１７】
そして、データ処理部２１２は、Ｄチャネルパケット通信を以外の通信データの処理を実行する。即ち、Ｄチャネルで行なわれる各データを送信するための呼設定などの制御信号又はＢチャネルで行う画像データ、各種コマンドなどの処理を行なう。通信処理部２１３は、画像監視端末２が通信回線４を介して監視センタ５とデータを送受信するためのインターフェイスである。
【００１８】
また、表示処理部２０６は、監視対象１の現場において必要情報を、例えば、センサ部３の検知状況等を表示するため、非常表示部２０７で表示を行う。
以上、本発明を適用する画像監視システムの概要について説明した。次に、画像監視システムにおける監視対象１の具体例を図３に示す。図３では画像監視端末２、監視カメラＣ１、Ｃ２及びＣ３、センサ部３としてのセンサＳ１、Ｓ２の監視対象１における具体的な配置を示している。
【００１９】
図３は、監視対象１である建物３０１の平面図を示している。建物３０１は内部に部屋Ｒ１とＲ２を有する間取りになっている。ここで、部屋Ｒ１には、その壁面にドア３０２と窓３０３が設けてあり、さらに、照明器具３０４が天井に取り付けられている。そして、監視カメラＣ１は部屋角の上方に位置し、非常通報装置Ｓ１が壁に設置されている。さらに、監視カメラＣ２は部屋Ｒ２の隅に、監視カメラＣ３は部屋外の通路の隅にそれぞれ設置されている。また、画像監視端末２は通路の端に配置されている。
【００２０】
ここで、図３に示された監視カメラＣ１から部屋Ｒ１内を見た画像を、図４の（Ａ）に示す。その画像には、部屋Ｒ１にあるドア３０２、窓３０３及び照明器具３０４がそれぞれ映し出される。
一方、監視センタ５において、監視員が監視対象１の監視を行うときには、先ず監視カメラＣ１を選択し、そして、ＣＲＴ表示装置８に監視カメラＣ１から送られた画像を表示する。そうすると、ＣＲＴ表示装置８には図４（Ａ）に示す画像が表示される。
【００２１】
ところで、前記課題でも述べたように、従来の画像監視システムにおいては、ＣＲＴ表示装置８に表示された画像を基に監視をしている。監視員がこの表示された画像を見て、部屋Ｒ１に異常が有るかどうかを見い出すためには、監視員自身が監視項目を熟知しており、しかも、部屋Ｒ１の監視前の状態を知っていなければ、異常であるとの判断を行うことができない。また、例えば、昼と夜とでは部屋内部の見え方が異なるなど、異常であるとの判断を難しくしている。
【００２２】
あるいは、手元に監視マニュアルを置き、監視マニュアルに記載された監視項目に従って逐一画像を見なければならない。また、監視員が監視項目を見落としたり、また、故意に見ない場合もあり得るので、監視上の質に問題を起こすものであった。
そこで、本実施形態では、上記問題に対処するため、ＣＲＴ表示装置８の画面に、監視カメラから得た現状態画像と、基準画像とを同時に表示するようにした。そして、その基準画像内に監視箇所を明示するとともに、併せて監視箇所のリストを表示する。さらに、監視箇所のリストに点検結果を全て入力しないと、次の巡回監視に移れないようにした。
【００２３】
次に、本実施形態による監視システムの機能について、図４乃至図１１を参照して以下に説明する。
先ず、ＣＲＴ表示装置８に表示する基準画像について説明する。上述したように、図４（Ａ）は部屋Ｒ１に設置された監視カメラＣ１からの画像である。ここで、顧客の監視要求に従って、点検すべき箇所を特定する。図４（Ｂ）に示すように、例えば、ドア３０２の開閉、窓３０３の開閉、照明器具３０４の消灯を点検する必要があれば、その箇所を、例えば、点線で囲み、それぞれに（１）（２）（３）の符号を付して基準画像を作成する。この様にすれば、監視時に、ＣＲＴ表示装置８に基準画像と現状態画像とを表示して比較対比するときに、どこを点検すればよいのか一見して分かり、その状態差を容易に判別することができる。
【００２４】
さらに、図５に示されるように、顧客が監視を要求する点検項目を点検箇所の符号に対応して表示する。この点検項目の欄には、その箇所の確認すべき状態を記載しておく。そうすると、点検箇所がどの様になっているかの判断基準が容易に把握できる。
しかし、上記で符号を付した点検箇所はいずれもその位置が固定して設置されたものである。顧客が要求する不審者の侵入や、不審物の存在については点検できない。そのため、図６に示すように、例えば、部屋Ｒ１には、物が絶対置かれない筈であるのに、そこに物６０１が置かれていたら、其の物は不審物であると分かる。さらに、部屋Ｒ１内には、人が居る必要がないときに、人６０２がいたらその人は不審者であると見れるので、その旨点検項目とする。
【００２５】
以上のようにして、各監視カメラ毎に監視領域の画像から基準画像が作成される。
以上で作成した基準画像を用いて巡回監視を行う際に、ＣＲＴ表示装置８の画面に表示する具体的一例を図７に示す。図７では、ＣＲＴ表示装置８の画面全体を示している。選択された監視カメラＣ１からの現状態画像を画面の左側に、そして、監視カメラＣ１に係る基準画像を画面の右側に表示している。さらに、点検項目リストを表示し、点検項目に対応して、点検結果を入力できるようにする。この結果の入力は、キーボードからでも、画面タッチ式でも、またマウスでクリックする方式でもよい。
【００２６】
ＣＲＴ表示装置８の画面には、点検すべき箇所の符号（１）〜（５）は全て表示し、それぞれの点検項目に対する結果を入力しなければ、点検終了の入力をしても、表示されている画面が切り替わらないように設定されている。
次に、本実施形態による監視システムの動作について、図８ないし図１０のフローチャートを参照して説明する。
【００２７】
図８は、基準画像を取得するためのフローチャートを示しており、監視センタ５にいる監視員が、監視対象１に設置されている監視カメラを用いて、図７に示されるような基準画像を作成する。
先ず、監視員は、監視対象１に基準画像を作成する必要がある監視領域がある場合、監視対象１の画像監視端末２とを通信接続するために、操作装置９で監視対象１を選択し、通信回線４を接続する（ステップＳ８１）。
【００２８】
通信回線の接続が完了したならば、監視員は、監視対象１に設置されている複数の監視カメラＣ１〜Ｃ３の中から、今回、基準画像を作成する監視カメラＣ１を選択し、操作装置９により通信回線４を介して画像監視端末２に指示する（ステップＳ８２）。
そこで、画像端末装置２では、監視センタ５の指示に従って、監視カメラＣ１の現状態画像を取得し、この取得した画像情報を圧縮処理後、監視センタ５に通信回線４を介して送信する。監視センタ５では、送信された画像情報に基づき、デコード後、伸長したうえで、画像情報をＣＲＴ表示装置８に表示する（ステップＳ８３、図４の（Ａ）を参照）。
【００２９】
ここで、監視員は、ＣＲＴ表示装置８に表示された画像及び予め顧客からの指示を受けている点検事項に基づいて、図５及び図６に示されるように、点検項目に対応する点検情報を設定する。つまり、操作装置９を用い、顧客が要求する全点検項目に応じて、表示されている画像上に複数の点検箇所を枠で囲む。さらに、点検箇所の符号に対応させて点検情報を記入する（ステップＳ８４）。なお、図７に示される画面フォーマットには、自動的に設定されるようにプログラムされている。そして、点検情報を設定した基準画像を画像管理データベース１０に格納する。
【００３０】
監視カメラＣ１に係る基準画像への点検情報の設定は以上で終了するが、監視対象１に設置されている全監視カメラについて点検情報を設定する必要があれば、監視員は、次の監視カメラＣ２、Ｃ３を選択指示し、ステップＳ８２からステップＳ８４までの手順を繰り返し、それぞれの監視カメラに対する点検項目の設定を行う（ステップＳ８５）。
【００３１】
点検情報の設定が必要な全ての監視カメラについて設定が終了したならば、通信回線４の接続を開放する（ステップＳ８６）。
そして、監視センタ５で監視対象１を巡回監視できるように、監視員は、操作装置９を用いて、監視対象１に設置された複数の監視カメラＣ１、Ｃ２及びＣ３の切替順番を設定する（ステップＳ８７）。
【００３２】
以上で、基準画像への点検情報の設定作業を全て終了し、続く巡回監視に備える。
次に、図９に示される巡回監視をするためのフローチャートを参照し、上述の点検情報が設定された基準画像に基づいて、巡回監視をする手順について説明する。
【００３３】
先ず、監視員は、巡回監視が必要な監視対象を選択する（ステップＳ９１）。なお、この選択は、監視員が一覧表に基づいて選択してもよく、また、時間で自動選択されてもよい。
監視対象１が選択されると、ＣＲＴ表示装置８に監視対象１に関する監視に必要情報が表示されるとともに、監視対象１の画像監視端末２と通信回線４を介して回線接続を行う（ステップＳ９２）。
【００３４】
画像監視端末２と回線が接続されたならば、監視員は、監視カメラの切替順番に従って、画像監視端末２に監視カメラ選択信号を送出する。さらに、選択した監視カメラの現状態画像の送出を要求する（ステップＳ９３）。
次に、監視すべき監視カメラが特定されたので、ＣＲＴ表示装置８の画面には、図７に示されるように、当該監視カメラの監視領域における点検項目と基準画像が表示される（ステップＳ９４）。
【００３５】
一方、画像監視端末２では、監視センタ５から監視カメラ選択信号と現状態画像送出要求とを受け、その要求時点における当該監視カメラの現状態画像として、１枚分の画像データを画像蓄積部２１０から読み出し、通信回線４に送出する。そこで、監視センタ５では、当該監視カメラの現状態画像に関する画像データを受信する（ステップＳ９５）。
【００３６】
監視センタ５で、当該監視カメラの現状態画像に関する画像データを受信すると、図７に示されるように、ＣＲＴ表示装置８に点検項目、基準画像とともにこの現状態画像が表示される。そこで、監視員は、その画面の表示に従って、例えば、監視カメラＣ１に係る領域について点検処理を行う。
監視員は、監視カメラＣ１に係る領域について点検処理を、図７に示される表示画面に従って行う。その表示画面には点検項目の全てが表示されているから、その項目番号に従ってその番号に対応する点検箇所を基準画面上で確認する。そして、表示されている現状態画像と基準画像とを比較しながら、当該点検箇所の状態を点検する。この様にして、全ての点検項目について点検する（ステップＳ９６）。
【００３７】
ここで、ステップＳ９６における点検処理の結果入力の詳細を、図１０のフローチャートも参照して説明する。
監視員は、項目番号に従って現状態画像を順次点検しながら、各項目について点検結果を入力していく（ステップＳ１０１）。例えば、図７に示されるように、点検番号（１）のドア３０２が閉められていると確認できたときは、ＯＫを入力する。また、点検番号（３）の照明器具３０４が消し忘れていることが確認できたときは、ＮＧを入力する。
【００３８】
この様にして、表示されている現状態画像に係る全点検項目の点検を終了することになるが、全点検項目についてその結果を全て入力されていれば次のステップに移行する（ステップＳ１０２）。
このとき、この点検結果の中に、ＮＧの結果入力が有るかどうかが判断される（ステップＳ１０３）。もし、点検結果の中にＮＧの結果入力が有る場合（ＹＥＳ）、ＣＲＴ表示装置８に表示されている現状態画像データを画像管理データベース１０に格納し、記録しておく（ステップＳ１０４）。このステップＳ１０３及びステップＳ１０４は画像監視装置７で自動的にスナップショット処理され、点検項目とともに履歴管理される。この様にすると、後で異常状態を確認できる。なお、ＮＧ項目がある場合は、現場に対処者を急行させたり、遠隔にて照明の消灯制御など適切な処置を行なう。
【００３９】
次いで、全ての点検結果を情報管理データベース１１に記録する（ステップＳ１０５）。
ここで、図９のフローチャートのステップＳ９６に戻る。監視カメラＣ１の監視領域における点検処理は、全点検項目の結果入力を終えることにより完了でき、次の巡回監視に移ることができる。監視対象１内に他の監視カメラがあれば、順次、ステップＳ９３からステップＳ９６までを繰り返す（ステップＳ９７）。
【００４０】
そして、監視対象１の巡回監視が終了したとき、監視センタ５と画像監視端末２との回線接続を開放する（ステップＳ９８）。
以上で、監視対象１の巡回監視を全て終了したことになる。
次に、図１１を参照して、多数の監視領域が有る場合について、巡回監視における画像巡回のシーケンスとＣＲＴ表示装置８の表示画面との関係を説明する。ここで、図中、ＶＺ１〜１２は、監視カメラＣ１〜Ｃ１２の監視領域のシーケンス管理上の番号を、ＲＦ１〜６は、監視領域の基準画像のデータベース管理上の番号を、そして、ＣＭ１〜１２は、監視カメラＣ１〜Ｃ１２から現状態画像の番号をそれぞれ表している。さらに、▲１▼乃至▲９▼は、巡回監視する際の手順の順番を示している。
【００４１】
先ず、巡回監視を開始すると、画像巡回シーケンスが起動される▲１▼。これは、図８のステップＳ８７において、監視カメラの切替の順番を設定したことにより決まる。図中のＶＺ１〜１２は、このとき選択された監視カメラの順に並んでいる。画像巡回シーケンスが起動されると、最初のＶＺ１から点検処理を行う。ＶＺ１に対応する基準画像ＲＦ１をＣＲＴ表示装置８に表示するため、画像管理データベース１０に格納されている基準画像ＲＦ１にアクセスする▲２▼。次に、画像管理データベース１０から基準画像ＲＦ１の画像データを読み出し、ＣＲＴ表示装置８に表示する▲３▼。これと同時に、監視対象にある監視カメラＣＭ１から現状態画像を取得するため、通信回線４の接続を行い、監視カメラＣＭ１を選択指示する▲４▼。そして、この指示に従って、画像監視端末２は、監視カメラＣＭ１から現状態画像を取得し、監視センタ５に送信する。ＣＲＴ表示装置８には監視カメラＣＭ１から現状態画像が表示される▲５▼。そこで、監視員は、図９のステップＳ９６、図１０のステップＳ１０１からステップＳ１０５を実行し、１つの監視領域ＶＺ１における全点検項目について点検し、そして、点検結果を入力する▲６▼。この点検結果の中にＮＧが有る場合には、自動的にスナップショット処理が実行される▲７▼（図示なし）。監視員は、全点検項目について点検結果を入力したならば、点検終了を入力する。ここで、全点検項目について点検されたことが確認されると、次の監視領域ＶＺ３の点検処理に移行する▲８▼。上記と同様に、監視領域ＶＺ３の点検処理が始まる▲９▼。
【００４２】
以上のように、監視領域ＶＺ１からＶＺ１２まで、順次選択されて巡回監視を行う。
以上、本実施形態によれば、監視対象に複数設置された監視カメラの監視領域に対応した基準画像を用意し、この基準画像には、点検箇所を予め明示しておく。巡回監視する際には、監視センタにＣＲＴ表示装置の画面に、監視カメラから取得した現状態画像と前記基準画像とを表示することによって、点検すべき箇所が、明確に把握でき、しかも、状態変化を視覚的に容易に判断することができる。
【００４３】
また、巡回監視を行う際に、ＣＲＴ表示装置の画面に、基準画像の他に当該監視領域に係る全点検項目を表示し、この全点検項目について点検結果を入力出来るようにしたので、前記状態変化を判断するための基準が分かり、点検ミスを少なくでき、監視員の不慣れを解消できる。
そして、前記全点検項目について点検結果を入力しないと、点検終了としないプログラムとしたので、点検項目の抜け落ちや、監視員による点検の省略を防止できる。
【００４４】
さらに、前記点検結果を入力でき、この結果の中にＮＧが有る場合には、自動的にスナップショット処理を行い、画像管理データベースに当該画像情報を記録するようにしたので、点検に不安があるとき、後で再度の点検をすることもできる。また、記録された画像は、不審者の侵入等に対する証拠にもなる。
【００４５】
【発明の効果】
本発明によれば、監視対象を熟知していない監視員であっても、適切な監視を行える画像監視システムを実現することができる。
【図面の簡単な説明】
【図１】本発明に係る画像監視システムの全体構成図である。
【図２】画像監視システムの監視対象に設置された画像監視端末のブロック図である。
【図３】画像監視システムの監視対象における具体的配置図である。
【図４】監視カメラが撮影した部屋内の画像を示す図である。
【図５】基準画像における点検箇所と点検項目との対応関係を示す図である。
【図６】基準画像における点検箇所と点検項目との対応関係を示す図である。
【図７】巡回監視中におけるＣＲＴ表示装置の表示画面を示す図である。
【図８】基準画像を取得するためのフローチャートである。
【図９】巡回監視をするためのフローチャートである。
【図１０】図９における点検処理を実施するためのフローチャートである。
【図１１】画像巡回のシーケンスとＣＲＴ表示装置の表示画面との関係を示す図である。
【符号の説明】
１…監視対象
２…画像監視端末
３…センサ部
４…通信回線
５…監視センタ
６…センタ通信装置
７…画像監視装置
８…ＣＲＴ表示装置
９…操作装置
１０…画像情報ＤＢ
１１…情報管理ＤＢ
２０１…カメラコントローラ
２０２…中央処理部
２０３…画像処理部
２０４…検知回路部
２０５…通信処理ターミナルアダプタ
３０１…監視対象建物
３０２…ドア
３０３…窓
３０４…照明器具
Ｃ１〜Ｃ３…監視カメラ
Ｒ１、Ｒ２…部屋
【図１】
0003824454.tif 000002
【図２】
0003824454.tif 000003
【図３】
0003824454.tif 000004
【図４】
0003824454.tif 000005
【図５】
0003824454.tif 000006
【図６】
0003824454.tif 000007
【図７】
0003824454.tif 000008
【図８】
0003824454.tif 000009
【図９】
0003824454.tif 000010
【図１０】
0003824454.tif 000011
【図１１】
0003824454.tif 000012